(57)【要約】【課題】冷却性能を向上させる。【解決手段】実施形態の電子機器は、筐体と、発熱部品が設けられる第１面を有するとともに前記筐体の内部に収められたプリント基板と、前記第１面側で前記プリント回路板に重なるとともに前記発熱部品に向けて張り出した部分を有する排気部と、吸気部と、を有するケースと、前記ケース内に回転可能に収められたファンと、を有したファンユニットと、を備える。【選択図】図２
2013246306.tif 000002
【特許請求の範囲】
【請求項１】
筐体と、
発熱部品が設けられた第１面と、前記第１面とは反対側の第２面と、を有するとともに前記筐体の内部に収められたプリント回路板と、
前記第１面側で前記プリント回路板に重なるとともに前記プリント回路板に沿うように前記発熱部品に向けて延びた第１壁部と、前記第１壁部から前記プリント回路板に向かって延びた第２壁部と、を有する排気部と、吸気部と、を有するケースと、前記ケース内に回転可能に収められたファンと、を有するファンユニットと、
を備えるテレビ。
【請求項２】
前記第１壁部および前記第２壁部は、前記プリント回路板とともに管状をなした請求項１に記載のテレビ。
【請求項３】
前記筐体に設けられる排出部と、
前記筐体と前記第１面との間の位置で前記排気部と前記排出部とに連通されるとともに前記発熱部品が配置された第１通気空間を前記筐体内部の他の空間から仕切るように前記プリント回路板に取り付けられて前記筐体に当接した第１仕切部材と、
を備える請求項２に記載のテレビ。
【請求項４】
前記第１通気空間を前記筐体内部の他の空間から仕切るように前記筐体と一体に設けられた仕切部を備える請求項３に記載のテレビ。
【請求項５】
前記第２壁部は、前記第１仕切部材と連続した請求項４に記載のテレビ。
【請求項６】
前記筐体に設けられる開口部と、
前記開口部と前記吸気部とに連通した吸気空間を前記筐体内部の他の空間から仕切るように前記ケースに取り付けられて前記筐体に当接した第２仕切部材と、
を備える請求項５に記載のテレビ。
【請求項７】
前記吸気空間を前記筐体内部の他の空間から仕切るように前記筐体に取り付けられて前記ケースに当接した第３仕切部材を備える請求項６に記載のテレビ。
【請求項８】
前記吸気空間を前記筐体内部の他の空間から仕切るように前記筐体に取り付けられて前記プリント回路板に当接した第４仕切部材を備える請求項７に記載のテレビ。
【請求項９】
前記筐体と前記第２面との間の位置で前記排気部と前記排出部とに連通されるとともに第２発熱部品が配置された第２通気空間を前記筐体内部の他の空間から仕切るように前記プリント回路板に取り付けられて前記筐体に当接した第５仕切部材を備える請求項８に記載のテレビ。
【請求項１０】
筐体と、
前記筐体の内部に収められるとともに発熱部品が設けられた第１面と、前記第１面とは反対側の第２面と、を有したプリント回路板と、
吸気部と排気部とを有するケースと、前記ケース内に回転可能に収められたファンと、を有するファンユニットと、
前記筐体に設けられる排出部と、
前記筐体と前記第１面との間の位置で前記排気部と前記排出部とに連通されるとともに前記発熱部品が配置された第１通気空間を前記筐体内部の他の空間から仕切るように前記プリント回路板に取り付けられて前記筐体に当接した第１仕切部材と、
を備えるテレビ。
【請求項１１】
筐体と、
発熱部品が設けられる第１面を有するとともに前記筐体の内部に収められたプリント基板と、
前記第１面側で前記プリント回路板に重なるとともに前記発熱部品に向けて張り出した部分を有する排気部と、吸気部と、を有するケースと、前記ケース内に回転可能に収められたファンと、を有したファンユニットと、
を備える電子機器。
【発明の詳細な説明】
【技術分野】
【０００１】
本発明の実施形態は、冷却用のユニットを備えたテレビ、電子機器に関する。
【背景技術】
【０００２】
例えば、ノートブック型のパーソナルコンピュータ等において、冷却用のファンを備えたものが存在している。
【先行技術文献】
【特許文献】
【０００３】
【特許文献１】特開２０１０−６１２８９号公報
【発明の概要】
【発明が解決しようとする課題】
【０００４】
このような電子機器では、発熱する電子部品を冷却するための冷却性能の向上が求められる。
【課題を解決するための手段】
【０００５】
実施形態の電子機器は、筐体と、発熱部品が設けられる第１面を有するとともに前記筐体の内部に収められたプリント基板と、前記第１面側で前記プリント回路板に重なるとともに前記発熱部品に向けて張り出した部分を有する排気部と、吸気部と、を有するケースと、前記ケース内に回転可能に収められたファンと、を有したファンユニットと、を備える。
【図面の簡単な説明】
【０００６】
【図１】第１の実施形態にかかる電子機器の一例であるテレビを示した正面図。
【図２】図１に示すテレビの第２ケースを取り外した状態で示した背面図。
【図３】図２に示すテレビのファンユニット周りを拡大して示した斜視図。
【図４】第２の実施形態にかかる電子機器の一例であるポータブルコンピュータを示した斜視図。
【図５】図４に示すポータブルコンピュータの第２ケースを取り外した状態で本体部の内部を示した底面図。
【図６】図５に示す本体部の内部を拡大して示した底面図。
【図７】図４に示すポータブルコンピュータの本体部から第２ケースを取り外した状態で本体部の内部を示すとともに、取り外した第２ケースを内側が見える位置で本体部と横並びに置いた状態を示した平面図。
【図８】図４に示すポータブルコンピュータにおいて、メイン基板の第２面側から本体部の内部を示した平面図。
【図９】図５に示すポータブルコンピュータのＦ９−Ｆ９線の位置に沿った断面図。
【図１０】第３の実施形態にかかる電子機器の一例であるポータブルコンピュータのファンユニット周りを拡大して示した斜視図。
【発明を実施するための形態】
【０００７】
以下、図１から図３を参照して、電子機器の第１の実施形態について説明する。図１に示すように、本実施形態にかかる電子機器の一例であるテレビ１１は、略長方形（矩形、扁平な箱型、正面からみた形状が長方形）の外観を有した表示装置（電子機器、テレビジョン、テレビジョン受像機、受像機、放送波受信装置、受信装置、画像表示装置、装置、表示パネルを含む機器）である。第１の実施形態のテレビ１１は、第２の実施形態のポータブルコンピュータと類似する構成を有するため、ここでは概略的に説明し、詳細については第２の実施形態の中で説明するとともに適宜に第２の実施形態中の図面を参照する。
【０００８】
図１に示すように、テレビ１１は、箱状の筐体１２と、筐体１２を支持する脚部１３（スタンド、支持部）と、を備えている。
【０００９】
図１、図２に示すように、テレビ１１は、表示画面として画像が表示される一方面およびこれと反対側の他方面を含む平板状（シート状、平坦な面を有する）の表示パネル１４と、テレビ１１の各部を統括的に制御するメイン基板１５（プリント回路板、プリント基板、制御部）と、メイン基板１５の一部に設けられたチューナ部１６と、メイン基板１５の第１面１５Ａ上に設けられた回路部品１７（発熱部品、ＣＰＵ）と、回路部品１７等を冷却するためのファンユニット１８と、一方の端部２１Ａで回路部品１７に熱的に接続されて回路部品１７からの熱を運搬するヒートパイプ２１と、ヒートパイプ２１を回路部品１７に固定するための保持具２２（固定具）と、ヒートパイプ２１の他方の端部２１Ｂに設けられるとともに複数の放熱用のフィンを含んだフィンユニット２３と、メイン基板１５上に設けられた電源回路部品１９（発熱部品）と、外部接続用のコネクタ２４が設けられるコネクタ基板２５（プリント回路板）と、ハードディスクドライブ２６と、光ディスクドライブ２７と、スピーカと、第１から第５の仕切部材３１〜３５（図７、図８参照）と、を筐体１２の内部に備えている。メイン基板１５は、コネクタ基板２５、ハードディスクドライブ２６、光ディスクドライブ２７、およびスピーカのそれぞれに対して、ケーブルやフレキシブルケーブルを介して電気的に接続されている。
【００１０】
表示パネル１４は、例えば、方形板状の液晶ディスプレイパネルで構成されているが、例えばプラズマディスプレイパネル、有機ＥＬ、プラスチックディスプレイパネル、シートディスプレイパネル等、他の種類のディスプレイパネルであってもよい。
【００１１】
筐体１２は、外部の空気を筐体内に取り込むための吸気用の開口部３６と、回路部品１７（発熱部品）で温められた空気を筐体１２外に排出するための排出部３７（排出孔）と、を備えている（図７参照）。筐体１２は、表示パネル１４の前方側を覆う第１ケース８１と、表示パネル１４の後方側を覆う第２ケース８２と、を有している。筐体１２は、開口部３６を覆うように筐体１２の内面に接着されたメッシュ部３８（図７参照）を有し、メッシュ部３８は吸気時に筐体１２内部に埃等が侵入することを防止する。
【００１２】
図２等に示すように、テレビ１１は、筐体１２と一体に設けられた仕切部４１と、筐体１２と第１面１５Ａとの間の位置で排気部５２と排出部３７とに連通される第１通気空間４２と、筐体１２と第２面１５Ｂとの間の位置で排気部５２と排出部３７とに連通された第２通気空間４３（図８参照）と、開口部３６と吸気部５１とに連通した吸気空間４４と、を備えている。
【００１３】
図２に示すように、メイン基板１５は、第１回路部品１７（発熱部品、ＣＰＵ）が設けられた第１面１５Ａと、第１回路部品１７よりも小さい複数の第２回路部品２０（第２発熱部品）が設けられるとともに第１面１５Ａとは反対側の第２面１５Ｂ（図８参照）と、を有する。
【００１４】
図３に示すように、ファンユニット１８は、略箱状のケース４５（ファンケース）と、ケース４５内に回転可能に収められたファン４６と、ファン４６を回転させるモータ４７と、を有している。ケース４５は、吸気用の吸気部５１と、ファン４６によって送られる空気を排気する排気部５２と、を有している。
【００１５】
図３に示すように、排気部５２は、回路部品１７（発熱部品）に向けて張り出した部分５３を有している。この回路部品１７に向けて張り出した部分５３は、第１面１５Ａ側でメイン基板１５（プリント回路板）に重なるとともにメイン基板１５に沿って回路部品１７に向かった第１壁部５３Ａと、第１壁部５３Ａの一方の端部（ファン４６から回路部品１７（発熱部品）に向かう方向と交差する方向における一方の端部）からメイン基板１５（プリント回路板）に向かって延びた第２壁部５３Ｂと、を含んでいる。本実施形態では、第２壁部５３Ｂは、第１壁部５３Ａの一方の端部にのみ設けられている。この第２壁部５３Ｂは、ファンユニット１８が筐体１２に取り付けられた状態において、第１仕切部材３１と連続するように設けられている。第２壁部５３Ｂの端部とメイン基板１５との間には、各種の公差（メイン基板１５の公差、ファンユニット１８の公差、筐体１２の公差等）を考慮した隙間５４（クリアランス）が設けられているものの、第２壁部５３Ｂの端部は、メイン基板１５の近傍に位置している。
【００１６】
図２、図３に示すように、第１壁部５３Ａの一方の端部の反対側の他方の端部付近には、仕切部４１が配置されており、仕切部４１によってファン４６からの風が排出部３７に向けて案内されるようになっている。すなわち、本実施形態では、メイン基板１５の第１面１５Ａ、第１壁部５３Ａ、第２壁部５３Ｂ、および仕切部４１によって、ファン４６からの風を回路部品１７側に案内する管状（あるいはダクト状）の構造が実現されている。
【００１７】
複数の第１仕切部材３１は、メイン基板１５の第１面１５Ａに取り付けられている。メイン基板１５には、第１仕切部材３１を設置するためのスペースが設けられており、このスペースから外れた位置に回路部品１７および電源回路部品１９を実装している。図２に示すように、複数の第１仕切部材３１は、長さの短い第１部分３１Ａと、長さの長い第２部分３１Ｂと、を含んでいる。第１回路部品１７および電源回路部品１９は、第１部分３１Ａと第２部分３１Ｂの間に挟まれた位置に設けられている。複数の第１仕切部材３１のそれぞれは、断面方形で棒状をなしたスポンジで構成されている。
【００１８】
図２に示すように、第１部分３１Ａと第２部分３１Ｂの間に挟まれた位置には、第１通気空間４２が設けられている。この第１通気空間４２の周囲は、第１部分３１Ａ、第２部分３１Ｂ、仕切部４１、メイン基板１５の第１面１５Ａ、および筐体１２の内面によって規定されている。このため、第１回路部品１７および電源回路部品１９は、第１通気空間４２内に配置されていると言い換えられる。
【００１９】
図３等に示すように、第２仕切部材３２は、ファンユニット１８の後述するケース４５に取り付けられている。第２仕切部材３２は、断面方形で棒状をなしたスポンジで構成されている。第２仕切部材３２は、略「Ｌ」字形をなしており、ケース４５の吸気部５１の近傍で吸気部５１を取り囲むように設けられている。
【００２０】
第３仕切部材３３は、筐体１２の第２ケース８２に取り付けられており、テレビ１１を組み立てた状態でファンユニット１８のケース４５およびコネクタ基板２５に当接される（図７参照）。第３仕切部材３３は、断面方形で棒状をなしたスポンジで構成されている。第３仕切部材３３は、開口部３６の近傍で開口部３６を取り囲むように設けられている。
【００２１】
第４仕切部材３４は、筐体１２の第２ケース８２に取り付けられており、テレビ１１を組み立てた状態でコネクタ基板２５に当接される（図７参照）。第４仕切部材３４は、断面方形で棒状をなしたスポンジで構成されている。第４仕切部材３４は、開口部３６の近傍で開口部３６を取り囲むように設けられている。コネクタ基板２５には、第４仕切部材３４が当接されるスペースが設けられており、このスペースから外れた位置にコネクタ２４を実装している。第２から第４仕切部材３２〜３４で略「Ｕ」字形に囲まれる位置には、吸気空間４４が設けられている。
【００２２】
複数の第５仕切部材３５は、メイン基板１５の第２面１５Ｂに取り付けられている（図８参照）。メイン基板１５には、第５仕切部材３５を設置するためのスペースが設けられており、このスペースから外れた位置に小さな第２回路部品２０を実装している。複数の第５仕切部材３５は、長さの短い第１ブロック３５Ａと、長さの長い第２ブロック３５Ｂと、を含んでいる。第１ブロック３５Ａと第２ブロック３５Ｂの間に挟まれた位置に、第２通気空間４３が設けられている。複数の第５仕切部材３５のそれぞれは、断面方形で棒状をなしたスポンジで構成されている。
【００２３】
第１の実施形態のテレビ１１の回路部品１７の冷却作用について、図２、図３等を参照して説明する。
【００２４】
メイン基板１５の第１面１５Ａにある第１回路部品１７から発生した熱は、ヒートパイプ２１によって、一方の端部２１Ａから他方の端部２１Ｂに運搬される。ヒートパイプ２１の他方の端部２１Ｂに運搬された熱は、フィンユニット２３に伝達される。この位置で、第１通気空間４２を通る風（空気）に熱が伝達されて、当該熱が排出部３７（図７参照）を介して筐体１２外に排出される。
【００２５】
第１回路部品１７は、ファンユニット１８からの冷却風によっても、直接的に冷却される。すなわち、ファンユニット１８の排気部５２（回路部品１７に向けて張り出した部分）で案内された冷却風は、周囲に拡散することなく回路部品１７に当てられて回路部品１７から熱を奪う。回路部品１７に当てられた空気は、フィンユニット２３側に送られて、さらにフィンユニット２３から熱を奪いつつ、排出部３７を介して筐体１２外に排出される。ファンユニット１８からの冷却風は、第１仕切部材３１によって排出部３７（フィンユニット２３）付近にまで案内されるため、第１通気空間４２から筐体１２内の他の部分に漏れ出すことがなく、第１回路部品１７の冷却が円滑になされる。
【００２６】
同様に、メイン基板１５の第２面１５Ｂにある第２回路部品２０は、ファンユニット１８からの冷却風によって直接冷却される。第２回路部品２０に当てられた空気は、フィンユニット２３側に送られて、さらにフィンユニット２３から熱を奪いつつ、排出部３７を介して筐体１２外に排出される（図８参照）。ファンユニット１８からの冷却風は、第２仕切部材３２によって排出部３７（フィンユニット２３）付近にまで案内されるため、第２通気空間４３から筐体１２内の他の部分に漏れ出すことがなく、第２回路部品２０の冷却が円滑になされる。
【００２７】
第１の実施形態によれば、テレビ１１は、筐体１２と、発熱部品が設けられた第１面１５Ａと、第１面１５Ａとは反対側の第２面１５Ｂと、を有するとともに筐体１２の内部に収められたプリント回路板と、第１面１５Ａ側でプリント回路板に重なるとともにプリント回路板に沿うように発熱部品に向けて延びた第１壁部５３Ａと、第１壁部５３Ａからプリント回路板に向かって延びた第２壁部５３Ｂと、を有する排気部５２と、吸気部５１と、を有するケース４５と、ケース４５内に回転可能に収められたファン４６と、を有するファンユニット１８と、を備える。
【００２８】
この構成によれば、第１壁部５３Ａおよび第２壁部５３Ｂが設けられるため、ファン４６からの風をより一層効率よく発熱部品に当てることができる。これによって、発熱部品の冷却効率を向上できる。さらに、従来のファンユニット１８に比して少ない回転数で同等の冷却性能が得られるため、ファン４６の回転数を小さく設定することができ、これによってファン４６の回転による騒音を小さくすることができる。さらに、テレビ１１を組み立てる際には、プリント回路板（メイン基板１５）を筐体１２に固定した後に、第１面１５Ａ側からプリント回路板に第１壁部５３Ａおよび第２壁部５３Ｂを重ねるようにファンユニット１８を取り付けることができる。このため、予めプリント回路板に取り付けた上で筐体１２に固定されるファンユニット１８に比して、組み立て時の自由度を向上して作業性を向上できるとともに設計変更等にも柔軟に対応できる。
【００２９】
第１壁部５３Ａおよび第２壁部５３Ｂは、プリント回路板とともに管状をなしている。この構成によれば、ファン４６からの風をより一層効率的に発熱部品側に送ることができる。これによって、発熱部品の冷却効率を向上できるとともにファン４６の回転数を低減してファンユニット１８の騒音を低減できる。
【００３０】
テレビ１１は、筐体１２に設けられる排出部３７と、筐体１２と第１面１５Ａとの間の位置で排気部５２と排出部３７とに連通されるとともに発熱部品が配置された第１通気空間４２を筐体１２内部の他の空間から仕切るようにプリント回路板に取り付けられて筐体１２に当接した第１仕切部材３１と、を備える。この構成によれば、ファン４６からの風が周囲に拡散してしまうことを第１仕切部材３１によって防止することができる。このため、発熱部品の冷却効率をより一層向上できるとともに、ファン４６の回転数を低減して騒音を小さくできる。
【００３１】
テレビ１１は、第１通気空間４２を筐体１２内部の他の空間から仕切るように筐体１２と一体に設けられた仕切部４１を備える。この構成によれば、第１仕切部材３１だけでなく、筐体１２と一体に設けられた仕切部４１によっても第１通気空間４２を規定できるため、実際の製品形状（特に、筐体１２にやむを得ずボス等の突起を設けなければならない場合等）に応じて臨機応変に第１通気空間４２を設定できる。
【００３２】
第２壁部５３Ｂは、第１仕切部材３１と連続している。この構成によれば、第２壁部５３Ｂと第１仕切部材３１との間の隙間からファン４６からの風が漏れ出てしまうことがなく、発熱部品の冷却効率をさらに向上できる。
【００３３】
テレビ１１は、筐体１２に設けられる開口部３６と、開口部３６と吸気部５１とに連通した吸気空間４４を筐体１２内部の他の空間から仕切るようにケース４５に取り付けられて筐体１２に当接した第２仕切部材３２と、を備える。この構成によれば、例えば筐体１２内で温かくなった空気がファンユニット１８の吸気部５１に取り入れられてしまうことを防いで、筐体１２外にある冷たい空気を主としてファンユニット１８に取り込むことができる。これによって、発熱部品の冷却効率を向上できるとともに、ファンユニット１８の騒音を低減できる。
【００３４】
テレビ１１は、吸気空間４４を筐体１２内部の他の空間から仕切るように筐体１２に取り付けられてケース４５に当接した第３仕切部材３３を備える。この構成によれば、第２仕切部材３２とともに第３仕切部材３３によって、例えば筐体１２内で温かくなった空気がファンユニット１８の吸気部５１に取り入れられてしまうことを防いで、筐体１２外にある冷たい空気を主としてファンユニット１８に取り込むことができる。これによって、発熱部品の冷却効率を向上できるとともに、ファンユニット１８の騒音を低減できる。また、筐体１２の出荷時（製造時）に第３仕切部材３３を予め筐体１２に貼りつけておくことができ、組み立てラインでの作業量を少なくできる。
【００３５】
テレビ１１は、吸気空間４４を筐体１２内部の他の空間から仕切るように筐体１２に取り付けられてプリント回路板に当接した第４仕切部材３４を備える。この構成によれば、第２、第３仕切部材３３とともに第４仕切部材３４によって、例えば筐体１２内で温かくなった空気がファンユニット１８の吸気部５１に取り入れられてしまうことを防ぐことができる。これによって、発熱部品の冷却効率の向上とファンユニット１８の騒音の低減とを実現できる。
【００３６】
テレビ１１は、筐体１２と第２面１５Ｂとの間の位置で排気部５２と排出部３７とに連通されるとともに第２発熱部品が配置された第２通気空間４３を筐体１２内部の他の空間から仕切るようにプリント回路板に取り付けられて筐体１２に当接した第５仕切部材３５を備える。この構成によれば、第２発熱部品の冷却効率を向上して、筐体１２内部に熱が籠ってしまうことを防止できる。
【００３７】
続いて、図４−図９を参照して、電子機器の第２の実施形態について説明する。第２の実施形態の電子機器の一例であるポータブルコンピュータ６１は、外観が第１の実施形態と異なっているが、他の部分で第１の実施形態と概ね共通している。このため、主として第１の実施形態と異なる部分について説明し、第２の実施形態と共通する箇所については共通の符号を付して説明を省略する。
【００３８】
図４に示すように、ポータブルコンピュータ６１は、本体部６２と、本体部６２に対して覆い被さったり、本体部６２に対して起立したり可能なディスプレイ部６３と、本体部６２とディスプレイ部６３との間に設けられ本体部６２に対してディスプレイ部６３を回転可能にしたヒンジ部６４と、を有している。
【００３９】
図４に示すように、ディスプレイ部６３は、表示パネル１４と、表示パネル１４を覆ったディスプレイキャビネット６５と、ディスプレイキャビネット６５の本体部６２から遠い位置に設けられたカメラ６６と、備えている。表示パネル１４は、例えば、方形板状の液晶ディスプレイパネルで構成されているが、例えばプラズマディスプレイパネル、有機ＥＬ、プラスチックディスプレイパネル、シートディスプレイパネル等、他の種類のディスプレイパネルであってもよい。
【００４０】
本体部６２は、例えば、外殻をなした本体キャビネット６７と、本体キャビネット６７に取り付けられたキーボード６８およびタッチパッド６９と、を有している。プリント回路板は、ポータブルコンピュータ６１の全体を統括的に制御している。ディスプレイキャビネット６５および本体キャビネット６７によって、筐体１２が構成されている。
【００４１】
図５に示すように、本体部６２は、ポータブルコンピュータ６１の各部を統括的に制御するメイン基板１５（プリント回路板、プリント基板、制御部、マザーボード）と、メイン基板１５の一部に設けられたチューナ部１６と、メイン基板１５上に設けられた第１回路部品１７（発熱部品、ＣＰＵ）と、第１回路部品１７等を冷却するためのファンユニット１８と、一方の端部２１Ａで第１回路部品１７に熱的に接続されて第１回路部品１７からの熱を運搬するヒートパイプ２１と、ヒートパイプ２１を第１回路部品１７に固定するための保持具２２（固定具）と、ヒートパイプ２１の他方の端部２１Ｂに設けられるとともに複数の放熱用のフィンを含んだフィンユニット２３と、メイン基板１５上に設けられた電源回路部品１９（発熱部品）と、外部接続用のコネクタ２４が設けられるコネクタ基板２５（プリント回路板）と、ハードディスクドライブ２６と、光ディスクドライブ２７と、スピーカと、第１から第５の仕切部材３１−３５と、メイン基板１５に電力を供給するバッテリ７０と、を本体キャビネット６７の内部に備えている。メイン基板１５は、コネクタ基板２５、ハードディスクドライブ２６、光ディスクドライブ２７、およびスピーカのそれぞれに対して、ケーブルやフレキシブルケーブルを介して電気的に接続される。保持具２２は、固定用の板金と、ねじ等の固定部材とを含んでいる。
【００４２】
図７に示すように、本体キャビネット６７（筐体１２）は、外部の空気を筐体１２内に取り込むための吸気用の開口部３６と、発熱部品で温められた空気を筐体１２外に排出するための排出部３７と、を備えている。図４に示すように、本体キャビネット６７（筐体１２）は、キーボード６８が取り付けられた第１ケース８１と、第１ケース８１と対向するように設けられ第１ケース８１に突き合わされる第２ケース８２と、を有している。
【００４３】
図６〜図８に示すように、本体部６２（ポータブルコンピュータ６１）は、本体キャビネット６７（筐体１２）と一体に設けられた仕切部４１と、本体キャビネット６７と第１面１５Ａとの間の位置で排気部５２と排出部３７とに連通される第１通気空間４２と、本体キャビネット６７と第２面１５Ｂとの間の位置で排気部５２と排出部３７とに連通された第２通気空間４３と、開口部３６と吸気部５１とに連通した吸気空間４４と、を備えている。仕切部４１は、例えば、ねじ等の固定部材を止めるために本体キャビネット６７に設けられるボスであり、本体キャビネット６７（筐体１２）の他の部分から突出している。
【００４４】
メイン基板１５は、第１面１５Ａと、第１面１５Ａとは反対側の第２面１５Ｂと、を有する（図３参照）。図５に示すように、メイン基板１５の第１面１５Ａには、第１回路部品１７（発熱部品、ＣＰＵ）と、第３回路部品２８（グラフィックコントローラ）と、ＳＳＤ７１（solid state drive）と、無線ＬＡＮモジュール７２と、が設けられている。図８に示すように、メイン基板１５の第２面１５Ｂには、第１回路部品１７よりも小さい複数の第２回路部品２０（第２発熱部品）が設けられている。
【００４５】
ファンユニット１８の構成は、第１の実施形態と同様である。図６に示すように、ファンユニット１８は、略箱状のケース４５（ファンケース）と、ケース４５内に回転可能に収められたファン４６と、ファン４６を回転させるモータ４７と、を有している。ケース４５は、吸気用の吸気部５１と、ファン４６によって送られる空気を排気する排気部５２と、を有している。排気部５２は、回路部品１７（発熱部品）に向けて張り出した部分５３を有している（図３参照）。この回路部品１７に向けて張り出した部分５３は、第１面１５Ａ側でメイン基板１５（プリント回路板）に重なるとともにメイン基板１５に沿って回路部品に向かった第１壁部５３Ａと、第１壁部５３Ａの一方の端部（ファン４６から回路部品１７（発熱部品）に向かう方向と交差する方向における一方の端部）からメイン基板１５（プリント回路板）に向かって延びた第２壁部５３Ｂと、を含んでいる。
【００４６】
第２壁部５３Ｂは、第１壁部５３Ａの一方の端部にのみ設けられている。この第２壁部５３Ｂは、ファンユニット１８が筐体１２に取り付けられた状態において、第１仕切部材３１と連続するように設けられている。第２壁部５３Ｂの端部とメイン基板１５との間には、各種の公差（メイン基板１５の公差、ファンユニット１８の公差、筐体１２の公差等）を考慮した隙間５４（クリアランス）が設けられているものの、第２壁部５３Ｂの端部は、メイン基板１５の近傍に位置している。
【００４７】
また、第１壁部５３Ａの一方の端部の反対側の他方の端部付近には、仕切部４１が配置されており、仕切部４１によってファン４６からの風が排出部に向けて案内されるようになっている（図３、図６参照）。すなわち、本実施形態では、メイン基板１５の第１面１５Ａ、第１壁部５３Ａ、第２壁部５３Ｂ、および仕切部４１によって、ファン４６からの風を回路部品１７側に案内する管状（あるいはダクト状）の構造が実現されている。
【００４８】
図６に示すように、複数の第１仕切部材３１は、メイン基板１５の第１面１５Ａに取り付けられている。メイン基板１５には、第１仕切部材３１を設置（実装）するためのスペースが設けられており、このスペースから外れた位置に第１回路部品１７および電源回路部品１９を実装している。複数の第１仕切部材３１は、長さの短い第１部分３１Ａと、長さの長い第２部分３１Ｂと、を含んでいる。第１回路部品１７および電源回路部品１９は、第１部分３１Ａと第２部分３１Ｂの間に挟まれた位置に設けられている。複数の第１仕切部材３１のそれぞれは、断面方形で棒状をなしたスポンジで構成されている。
【００４９】
第１部分３１Ａと第２部分３１Ｂの間に挟まれた位置には、第１通気空間４２が設けられている。この第１通気空間４２の周囲は、第１部分３１Ａ、第２部分３１Ｂ、仕切部４１、メイン基板１５の第１面１５Ａ、および本体キャビネット６７（筐体１２）の内面によって規定されている。このため、第１回路部品１７および電源回路部品１９は、第１通気空間４２内に配置されていると言い換えられる。
【００５０】
図６に示すように、第２仕切部材３２は、ファンユニット１８の後述するケース４５に取り付けられている。第２仕切部材３２は、断面方形で棒状をなしたスポンジで構成されている。第２仕切部材３２は、略「Ｌ」字形をなしており、ケース４５の吸気部５１の近傍で吸気部５１を取り囲むように設けられている。
【００５１】
図７に示すように、第３仕切部材３３は、筐体１２の第２ケース８２に取り付けられており、ポータブルコンピュータ６１を組み立てた状態でファンユニット１８のケース４５およびコネクタ基板２５の両方にまたがって当接される。第３仕切部材３３は、断面方形で棒状をなしたスポンジで構成されている。第３仕切部材３３は、開口部３６の近傍で開口部３６を取り囲むように設けられている。
【００５２】
図７に示すように、第４仕切部材３４は、筐体１２の第２ケース８２に取り付けられており、ポータブルコンピュータ６１を組み立てた状態でコネクタ基板２５に当接される。第４仕切部材３４は、断面方形で棒状をなしたスポンジで構成されている。第４仕切部材３４は、開口部３６の近傍で開口部３６を取り囲むように設けられている。第２から第４仕切部材３２〜３４で略「Ｕ」字形に囲まれる位置には、吸気空間４４が設けられている。
【００５３】
図８に示すように、複数の第５仕切部材３５は、メイン基板１５の第２面１５Ｂに取り付けられている。メイン基板１５には、第５仕切部材３５を設置するためのスペースが設けられており、このスペースから外れた位置に小さな第２回路部品２０を実装している。複数の第５仕切部材３５は、長さの短い第１ブロック３５Ａと、長さの長い第２ブロック３５Ｂと、を含んでいる。第１ブロック３５Ａと第２ブロック３５Ｂの間に挟まれた位置に、第２通気空間４３が設けられている。複数の第５仕切部材のそれぞれは、断面方形で棒状をなしたスポンジで構成されている。
【００５４】
第２の実施形態のポータブルコンピュータ６１の回路部品１７の冷却作用について、図５、図６、図８、図９等を参照して説明する。
【００５５】
メイン基板１５の第１面１５Ａにある第１回路部品１７から発生した熱は、ヒートパイプ２１によって、一方の端部２１Ａから他方の端部２１Ｂに運搬される。ヒートパイプ２１の他方の端部２１Ｂに運搬された熱は、フィンユニット２３に伝達される。この位置で、第１通気空間４２を通る風（空気）に熱が伝達されて、当該熱が排出部３７を介して筐体１２外に排出される。
【００５６】
第１回路部品１７は、ファンユニット１８からの冷却風によっても、直接的に冷却される。すなわち、ファンユニット１８の排気部５２（回路部品１７に向けて張り出した部分５３）で案内された冷却風は、周囲に拡散することなく回路部品１７に当てられて回路部品１７から熱を奪う。回路部品１７に当てられた空気は、フィンユニット２３側に送られて、さらにフィンユニット２３から熱を奪いつつ、排出部３７を介して筐体１２外に排出される。ファンユニット１８からの冷却風は、第１仕切部材３１によって排出部３７（フィンユニット２３）付近にまで案内されるため、第１通気空間４２から筐体１２内の他の部分に漏れ出すことがなく、第１回路部品１７の冷却が円滑になされる。
【００５７】
同様に、メイン基板１５の第２面１５Ｂにある第２回路部品２０は、ファンユニット１８からの冷却風によって直接冷却される。第２回路部品２０に当てられた空気は、フィンユニット２３側に送られて、さらにフィンユニット２３から熱を奪いつつ、排出部３７を介して筐体１２外に排出される。ファンユニット１８からの冷却風は、第２仕切部材３２によって排出部３７（フィンユニット２３）付近にまで案内されるため、第２通気空間４３から筐体１２内の他の部分に漏れ出すことがなく、第２回路部品２０の冷却が円滑になされる。
【００５８】
第２の実施形態によれば、ポータブルコンピュータ６１は、筐体１２と、発熱部品が設けられる第１面を有するとともに筐体１２の内部に収められたプリント基板と、第１面１５Ａ側でプリント回路板に重なるとともに発熱部品に向けて張り出した部分を有する排気部５２と、吸気部５１と、を有するケース４５と、ケース４５内に回転可能に収められたファン４６と、を有したファンユニット１８と、を備える。
【００５９】
この構成によれば、第１壁部５３Ａおよび第２壁部５３Ｂが設けられるため、ファン４６からの風をより一層効率よく発熱部品に当てることができる。これによって、発熱部品の冷却効率を向上できる。さらに、従来のファンユニット１８に比して少ない回転数で同等の冷却性能が得られるため、ファン４６の回転数を小さくして、ファン４６の回転による騒音を小さくすることができる。さらに、ポータブルコンピュータ６１を組み立てる際には、プリント回路板を筐体１２に固定した後に、第１面１５Ａ側からプリント回路板に第１壁部５３Ａおよび第２壁部５３Ｂを重ねるようにファンユニット１８を取り付けることができる。このため、予めプリント回路板に取り付けられる形式のファンユニット１８に比して、組み立て時の自由度を向上して作業性を向上できるとともに設計変更等にも柔軟に対応することができる。
【００６０】
続いて、図１０を参照して、電子機器の第３の実施形態について説明する。第３の実施形態の電子機器の一例であるポータブルコンピュータ６１は、ファンユニット１８の構成が第２の実施形態と異なっているが、他の部分で第２の実施形態と概ね共通している。このため、主として第２の実施形態と異なる部分について説明し、第２の実施形態と共通する箇所については共通の符号を付して説明を省略する。
【００６１】
ファンユニット１８は、略箱状のケース４５（ファンケース）と、ケース４５内に回転可能に収められたファン４６と、ファン４６を回転させるモータ４７と、を有している。ケース４５は、吸気用の吸気部５１と、ファン４６によって送られる空気を排気する排気部５２と、を有している。排気部５２は、回路部品１７（発熱部品）に向けて張り出した部分５３を有している。この回路部品１７に向けて張り出した部分５３は、第１面１５Ａ側でメイン基板１５（プリント回路板）に重なるとともにメイン基板１５に沿って回路部品１７に向かった第１壁部５３Ａと、第１壁部５３Ａの両側の端部（ファンから回路部品１７（発熱部品）に向かう方向と交差する方向における両端部）からメイン基板１５（プリント回路板）に向かって延びた第２壁部５３Ｂと、を含んでいる。本実施形態では、第２壁部５３Ｂは、第１壁部５３Ａの両側の端部に一対に設けられている。
【００６２】
第２壁部５３Ｂの端部とメイン基板１５との間には、各種の公差（メイン基板１５の公差、ファンユニット１８の公差、筐体１２の公差等）を考慮した隙間５４（クリアランス）が設けられているものの、第２壁部５３Ｂの端部は、メイン基板１５の近傍に位置している。各第２壁部５３Ｂは、ファンユニット１８が筐体１２に取り付けられた状態において、第１仕切部材３１と連続するように設けられている。
【００６３】
本実施形態では、メイン基板１５の第１面１５Ａ、第１壁部５３Ａ、および第２壁部５３Ｂによって、ファン４６からの風を回路部品１７側に案内する管状（あるいはダクト状）の構造が設けられている。
【００６４】
複数の第１仕切部材３１は、メイン基板１５の第１面１５Ａに取り付けられている。メイン基板１５には、第１仕切部材３１を設置（実装）するためのスペースが設けられており、このスペースから外れた位置に第１回路部品１７および電源回路部品１９を実装している。複数の第１仕切部材３１は、長さの短い第１部分３１Ａと、長さの長い第２部分３１Ｂと、を含んでいる。第１回路部品１７は、第１部分３１Ａと第２部分３１Ｂの間に挟まれた位置に設けられている。複数の第１仕切部材３１のそれぞれは、断面方形で棒状をなしたスポンジで構成されている。
【００６５】
第１部分３１Ａと第２部分３１Ｂの間に挟まれた位置には、第１通気空間４２が設けられている。この第１通気空間４２の周囲は、第１部分３１Ａ、第２部分３１Ｂ、仕切部４１、メイン基板１５の第１面１５Ａ、および本体キャビネット６７（筐体１２）の内面によって規定されている。
【００６６】
第３の実施形態のポータブルコンピュータ６１の回路部品１７の冷却作用について、図１０等を参照して説明する。
【００６７】
メイン基板１５の第１面１５Ａにある第１回路部品１７から発生した熱は、ヒートパイプ２１によって、一方の端部２１Ａから他方の端部２１Ｂに運搬される。ヒートパイプ２１の他方の端部２１Ｂに運搬された熱は、フィンユニット２３に伝達される。この位置で、第１通気空間４２を通る風（空気）に熱が伝達されて、当該熱が排出部３７を介して筐体１２外に排出される。
【００６８】
第１回路部品１７は、ファンユニット１８からの冷却風によっても、直接的に冷却される。すなわち、ファンユニット１８の排気部５２（回路部品１７に向けて張り出した部分５３）で案内された冷却風は、周囲に拡散することなく回路部品１７に当てられて回路部品１７から熱を奪う。回路部品１７に当てられた空気は、フィンユニット２３側に送られて、さらにフィンユニット２３から熱を奪いつつ、排出部３７を介して筐体１２外に排出される。ファンユニット１８からの冷却風は、第１仕切部材３１（第１部分３１Ａ、第２部分３１Ｂ）によって排出部３７付近にまで案内されるため、第１通気空間４２から筐体１２内の他の部分に漏れ出すことがなく、第１回路部品１７の冷却が円滑になされる。
【００６９】
第３の実施形態によれば、ファンユニット１８の回路部品１７に向けて張り出した部分５３は、第１面１５Ａ側でプリント回路板に重なるとともにプリント回路板に沿って発熱部品に向かった第１壁部５３Ａと、第１壁部５３Ａの両側の端部（ファン４６から発熱部品に向かう方向と交差する方向における両端部）からプリント回路板に向かって延びる第２壁部５３Ｂと、を含んでいる。
【００７０】
この構成によれば、ファンユニット１８から排出された風が発熱部品から逸れてしまうことをより一層防止して、発熱部品の冷却効率をさらに向上できる。
【００７１】
電子機器は、上記実施形態に示したテレビ１１、ポータブルコンピュータ６１に限らず、例えば携帯電話機のようなその他の電子機器に対しても当然に実施可能である。さらに、電子機器は上記実施形態そのままに限定されるものではなく、実施段階ではその要旨を逸脱しない範囲で構成要素を変形して具体化できる。すなわち、上記実施形態では、第１仕切部材３１を複数（２個以上）で実現しているが、第１仕切部材３１を１個或いは３個以上で実現してもよい。同様に、第５仕切部材３５を複数（２個以上）で実現しているが、第５仕切部材３５を１個或いは３個以上で実現してもよい。また上記実施形態では、第１仕切部材３１および第５仕切部材３５は、メイン基板１５に取り付けられているが、筐体１２の内面に第１仕切部材３１および第５仕切部材３５を取り付けて、メイン基板１５に当接させるようにしてもよい。
【００７２】
また、上記実施形態では、メイン基板１５とコネクタ基板２５とを別々のプリント回路板で実現しているが、一つのプリント回路板として設けてもよい。さらに、第１から第５仕切部材３１〜３５をスポンジで実現しているが、第１から第５仕切部材３１〜３５の材質はこれに限定されるものではなく、ゴム状の弾力性を発揮できる材料（例えば、合成ゴム、ウレタンフォーム、発泡スチロール等）であればどのような材質でもよい。また、第１通気空間４２内に配置される発熱部品（回路部品）としては、ＣＰＵや電源回路部品１９に限定されるものではなく、例えば、グラフィックコントローラ２８（グラフィックチップ）やＳＳＤ７１等、発熱量の多い部品であればどのような部品を配置してもよい。
【００７３】
上記実施形態では、ファンユニット１８の高さ方向の中間部に、メイン基板１５（プリント回路板）を配置して、第１面１５Ａ側の風量と第２面１５Ｂ側の風量とを略同じになるようにしている。しかしながら、回路部品１７を効率よく冷却するために、第１面１５Ａ側に偏ってファンユニット１８を配置（第２面１５Ｂ側よりも第１面１５Ａ側に大きく開口するように排気部５２を配置）して、第１面１５Ａ側の風量を第２面１５Ｂ側の風量よりも大きくしてもよい。
【００７４】
さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００７５】
１１…テレビ、１２…筐体、１５…メイン基板、１５Ａ…第１面、１５Ｂ…第２面、１７…回路部品、１８…ファンユニット、１９…電源回路部品、３１…第１仕切部材、３２…第２仕切部材、３３…第３仕切部材、３４…第４仕切部材、３５…第５仕切部材、３６…開口部、３７…排出部、４１…仕切部、４２…第１通気空間、４３…第２通気空間、４４…吸気空間、５１…吸気部、５２…排気部、５３…張り出した部分、５３Ａ…第１壁部、５３Ｂ…第２壁部
【図１】
2013246306.tif 000003
【図２】
2013246306.tif 000004
【図３】
2013246306.tif 000005
【図４】
2013246306.tif 000006
【図５】
2013246306.tif 000007
【図６】
2013246306.tif 000008
【図７】
2013246306.tif 000009
【図８】
2013246306.tif 000010
【図９】
2013246306.tif 000011
【図１０】
2013246306.tif 000012